(57)【要約】      （修正有）【課題】箸供給部から箸をスムーズに搬送手段に投入することができる箸洗浄装置を提供する。【解決手段】箸供給部３は、箸搬送部１０ｂ，１１，１２に向けて開口し箸搬送部１０ｂ，１１，１２に向けて箸Ｃを１本ずつ供給する供給口と、上方より供給口に向けて複数の箸Ｃがスライド移動可能なスロープ３ａと、スロープ３ａを振動させる揺動手段４と、を備え、スロープ３ａの下方の供給口に向けて殺到し供給口手前で停滞する複数の箸Ｃを、揺動手段４によりスロープ３ａを振動させることで停滞を解消し、供給口から箸搬送部１０ｂ，１１，１２に向けてスムーズに箸Ｃを１本ずつ順次供給する。【選択図】図２
2011160874.tif 000002
【特許請求の範囲】
【請求項１】
複数の箸を収容し供給する箸供給部と、該箸供給部から供給された前記箸を搬送する箸搬送部と、該箸搬送部で前記箸を洗浄する箸洗浄部と、を備える箸洗浄装置であって、
前記箸供給部は、前記箸搬送部に向けて開口し前記箸搬送部に向けて前記箸を１本ずつ供給する供給口と、上方より該供給口に向けて複数の前記箸がスライド移動可能なスロープと、該スロープを振動させる揺動手段と、を備えることを特徴とする箸洗浄装置。
【請求項２】
前記箸搬送部は、水平軸周りに回転する回転体であるとともに、前記揺動手段は、前記回転体の回転によって前記スロープを振動させることを特徴とする請求項1に記載の箸洗浄装置。
【請求項３】
前記回転体には、前記供給口から供給される前記箸が配置される溝部と、前記供給口からの前記箸の供給を阻止する突部とが、前記供給口と対向するように、前記回転体の周方向に交互に複数形成されており、前記回転体の回転によって前記供給口と前記突部とが対向する状態から、前記供給口と前記溝部とが対向する状態に変化する際に、前記スロープが前記揺動手段によって振動されることを特徴とする請求項２に記載の箸洗浄装置。
【請求項４】
前記箸供給部には、前記箸の前記供給口への進入数を規制する箸規制部が設けられていることを特徴とする請求項１ないし３のいずれかに記載の箸洗浄装置。
【発明の詳細な説明】
【技術分野】
【０００１】
本発明は、複数の箸を収容し供給する箸供給部と、箸供給部から供給された箸を搬送する箸搬送部と、箸搬送部で箸を洗浄する箸洗浄部と、を備える箸洗浄装置に関する。
【背景技術】
【０００２】
従来、上端部に形成された投入口から使用後の箸が投入されるホッパ（箸供給部）と、ホッパの下端部に形成された供給口から供給される箸を搬送する第１のコンベア装置（箸搬送部）及び第２のコンベア装置（箸搬送部）を備え、第１のコンベア装置及び第２のコンベア装置で箸を搬送する際に、シャワーノズルによって洗浄液を箸に向けて噴出させることで箸の洗浄を行い、洗浄した箸を収納容器（箸収容部）に収納（収容）する箸洗浄装置がある（例えば、特許文献１参照）。
【先行技術文献】
【特許文献】
【０００３】
【特許文献１】特開平９−２７６１９８号公報（第３頁、第１図）
【発明の概要】
【発明が解決しようとする課題】
【０００４】
しかしながら、特許文献１に記載の箸洗浄装置にあっては、大量の箸をホッパ（箸供給部）に投入すると、複数の箸同士が接触することで生じる摩擦力により箸がホッパの供給口付近で詰まってしまい、第１のコンベア装置（箸搬送部）及び第２のコンベア装置（箸搬送部）への箸の供給が停止されて箸の洗浄ができなくなるという問題がある。
【０００５】
本発明は、このような問題点に着目してなされたもので、箸供給部から箸をスムーズに搬送手段に投入することができる箸洗浄装置を提供することを目的とする。
【課題を解決するための手段】
【０００６】
前記課題を解決するために、本発明の箸洗浄装置は、
複数の箸を収容し供給する箸供給部と、該箸供給部から供給された前記箸を搬送する箸搬送部と、該箸搬送部で前記箸を洗浄する箸洗浄部と、を備える箸洗浄装置であって、
前記箸供給部は、前記箸搬送部に向けて開口し前記箸搬送部に向けて前記箸を１本ずつ供給する供給口と、上方より該供給口に向けて複数の前記箸がスライド移動可能なスロープと、該スロープを振動させる揺動手段と、を備えることを特徴としている。
この特徴によれば、スロープの下方の供給口に向けて殺到し供給口手前で停滞する複数の箸を、揺動手段によりスロープを振動させることで停滞を解消し、供給口から箸搬送部に向けてスムーズに箸を１本ずつ順次供給することができる。
【０００７】
本発明の箸洗浄装置は、
前記箸搬送部は、水平軸周りに回転する回転体であるとともに、前記揺動手段は、前記回転体の回転によって前記スロープを振動させることを特徴としている。
この特徴によれば、箸を搬送する回転体の回転を利用して、箸の搬送を行いながらスロープを定期的に繰り返し振動させることができる。
【０００８】
本発明の箸洗浄装置は、
前記回転体には、前記供給口から供給される前記箸が配置される溝部と、前記供給口からの前記箸の供給を阻止する突部とが、前記供給口と対向するように、前記回転体の周方向に交互に複数形成されており、前記回転体の回転によって前記供給口と前記突部とが対向する状態から、前記供給口と前記溝部とが対向する状態に変化する際に、前記スロープが前記揺動手段によって振動されることを特徴としている。
この特徴によれば、揺動手段がスロープを振動させるタイミングと供給部と溝部とが対向するタイミングとを同期させてスムーズに溝部内に箸を配置することができるとともに、供給口と溝部とが対向した後に再び供給口と突部とが対向することによって、供給口から回転体への箸の過供給を防ぐことができる。
【０００９】
本発明の箸洗浄装置は、
前記箸供給部には、前記箸の前記供給口への進入数を規制する箸規制部が設けられていることを特徴としている。
この特徴によれば、供給口近傍に集中した複数本の箸の荷重によってスロープの振動が阻止されてしまうことを防止することができる。
【図面の簡単な説明】
【００１０】
【図１】実施例における箸洗浄装置を示す平面図である。
【図２】図１における箸洗浄装置のＡ−Ａ断面図である。
【図３】図２における箸洗浄装置のＢ−Ｂ断面図である。
【図４】図２における箸収容部と第１搬送ギアとを示す箸洗浄装置の一部拡大断面図である。
【図５】箸が第１搬送ギアの溝部に収容された状態を示す箸洗浄装置の一部拡大断面図である。
【図６】図１における箸洗浄装置のＤ−Ｄ断面図である。
【図７】箸が第１搬送ギアの溝部に収容された状態を示す箸洗浄装置のＤ−Ｄ断面図である。
【発明を実施するための形態】
【００１１】
本発明に係る箸洗浄装置を実施するための形態を実施例に基づいて以下に説明する。
【実施例】
【００１２】
実施例に係る箸洗浄装置につき、図１から図７を参照して説明する。以下、図１の紙面下側と、図２と図４及び図５の紙面手前側と、図３の紙面右側と、図６及び図７の紙面左側を箸洗浄装置の正面側（前方側）として説明する。
【００１３】
図１の符号１は、本発明の適用された箸洗浄装置である。この箸洗浄装置１は、例えば、飲食店等にて、飲食客が使用した後の箸Ｃを自動的に洗浄するために使用される装置である。
【００１４】
図１と図２及び図４に示すように、箸洗浄装置１は筐体２を有しており、この筐体２内の左側上部には、飲食客等の使用した複数の箸Ｃを投入するための箸供給部３が設けられている。筐体２内の左右幅方向の略中央部には、本発明における箸搬送部及び回転体としての第１搬送ギア１０ａ，１０ｂと第２搬送ギア１１，１１と第３搬送ギア１２，１２とが配置されており、筐体２内における第２搬送ギア１１，１１と第３搬送ギア１２，１２との上方は、箸Ｃを洗浄するための箸洗浄部２０に構成されている。
【００１５】
以下、箸Ｃの搬送される順に説明すると、この箸供給部３は、平面視で略方形状の箱体に形成されており、特に底板は、筐体２の右方側に向けて下方へ傾斜をなすスロープ３ａに形成されている。
【００１６】
このスロープ３ａの右端部には、箸供給部３に収容された箸Ｃを後述する第１搬送ギア１０ａ，１０ｂに向けて供給するための供給口３ｂに形成されており、更に供給口３ｂには、後述する押圧突起４ｃ，８ａ，８ｂと上下幅方向で対向するように切欠３ｃが形成されている。
【００１７】
また、図２に示すように、箸供給部３の上部には、飲食店の従業員等が複数の箸Ｃを載置するための載置板３ｄが取り付けられている。この載置板３ｄの左端部と箸供給部３の左内側面との間には、箸Ｃを載置板３ｄ上でスライド移動させながら箸供給部３内に投入するための箸投入口３ｅが形成されている。この箸投入口３ｅは、箸供給部３の前後幅方向に向けて長寸となるように形成されている。このため、箸供給部３は、箸Ｃの長手方向側を筐体２の前後幅方向側に向けて収容できる。
【００１８】
一方、図１と図４及び図５に示すように、スロープ３ａの下方における後部側には、スロープ３ａの左右幅方向を向く本発明における揺動手段としての揺動ブラケット４が配置されている。この揺動ブラケット４の左右幅方向の略中央部は、箸供給部３の前後幅方向を向き、筐体２に端部が支持された水平軸５に枢支されている。この揺動ブラケット４の左端部には、スロープ３ａに対して下方から振動を与えるためのハンマー４ａが設けられている。また、揺動ブラケット４の右端部には、前後幅方向を向く押圧軸４ｂと、スロープ３ａに向けて突出する押圧突起４ｃが形成されている。
【００１９】
揺動ブラケット４の左端部の下方には、筐体２に端部が支持された付勢ブラケット６が延設配置されており、揺動ブラケット４の左端部と付勢ブラケット６との間には、揺動ブラケット４の左端部を上方に向けて付勢するコイルバネ７が設けられている。このコイルバネ７の付勢力によって揺動ブラケット４に水平軸５周りの力を与えることができるようになっている。
【００２０】
また、図１と図６及び図７に示すように、スロープ３ａの下方における前部側には、筐体２の図６及び図７視での左方を向く略コ字状に形成された揺動ブラケット８が配置されている。この揺動ブラケット８の左下部は、筐体２の前後幅方向を向き、筐体２に端部が支持された水平軸９に枢支されている。
【００２１】
更に、揺動ブラケット８の図６及び図７視での左上部は、スロープ３ａに形成された切欠３ｃと上下方向で対向する位置まで延設されており、この揺動ブラケット８の左上部には、上方を向く押圧突起８ａ，８ｂが左右幅方向に並設されている。一方、揺動ブラケット８の左下部は、筐体２の前部側に配置された第１搬送ギア１０ａの背面側と対向するように、第１搬送ギア１０ａの近傍に近接配置されている。
【００２２】
図４及び図６に示すように、供給口３ｂの直上方である箸供給部３の内側面には、スロープ３ａを供給口３ｂに向けて斜下方にスライド移動しようとする箸Ｃの数を規制する箸規制部１６が設けられている。この箸規制部１６は、筐体２の左方側に向けて下方へ傾斜をなす箸規制板１６ａと、この箸規制板１６ａの前後に配置された一対の側板１６ｂとで構成されている。
【００２３】
箸規制板１６ａは、図４に示すように、箸収容部３に箸Ｃが大量に投入されると、供給口３ｂに向けて殺到する箸Ｃの本数を規制するようになっている。また、両側板１６ｂは、供給口３ｂの左右幅寸法と略同寸の左右幅寸法に形成されているとともに、両側板１６ｂとスロープ３ａとの間には、箸Ｃが１本分のみが通過可能な間隙が形成されている。このため、これら箸規制板１６ａと両側板１６ｂとによって、スロープ３ａを供給口３ｂに向けてスライド移動しようとする箸Ｃの数を規制するようになっており、これによって供給口３ｂ付近に箸Ｃが殺到することを防止している。
【００２４】
尚、箸供給部３内の上部には、下方に向けて前洗浄用の水を噴射する第１噴射ノズル１７が設けられており、この水の噴射によって、箸供給部３に投入された複数の箸Ｃに付着した飯粒等の大きめの汚れを予め剥離除去し易いように軟化させることができるようになっている。
【００２５】
図１及び図２に示すように、第１搬送ギア１０ａ，１０ｂは、供給口３ｂの下方にて、上端部を供給口３ｂに近接させた状態で一対となって筐体２の前後幅方向に並列配置されている。これら第１搬送ギア１０ａ，１０ｂは、筐体２の前後幅方向を向き筐体２に両端部が回転可能に支持された水平軸１３に固定されており、各第１搬送ギア１０ａ，１０ｂの周面には、水平軸１３方向を向く溝部１０ｃと突部１０ｄとが全周に亘って交互に等間隔に形成されている。
【００２６】
溝部１０ｃの第１搬送ギア１０ａ，１０ｂの周方向側の幅寸法は、箸Ｃの長手方向側の端部を収容配置可能な程度の幅寸法に形成されており、供給口３ｂから箸Ｃが第１搬送ギア１０ａ，１０ｂに向けて供給されることで、溝部１０ｃ内に１本の箸Ｃの長手方向側の端部のみが収容配置されるようになっている。
【００２７】
また、筐体２の前部側に配置された第１搬送ギア１０ａの背面には、第１搬送ギア１０ａの周方向に沿って複数の押圧ピン１０ｅが等間隔に取り付けられている。これら押圧ピン１０ｅは、第１搬送ギア１０ａが正面視で時計回りに回転することで、間欠的に揺動ブラケット８のコ字状下方端部を押圧するようになっている。
【００２８】
水平軸１３の第１搬送ギア１０ａ，１０ｂ間には、第１搬送ギア１０ａ，１０ｂよりも小径の円板カム１８が固定されている。この円板カム１８は、第１搬送ギア１０ａ，１０ｂとともに本発明における回転体を構成している。更に、図４及び図５に示すように、この円板カム１８の周面には、複数の突部１８ａが等間隔に形成されており、隣り合う突部１８ａ間には、一方の突部１８ａから正面視で時計回り側の他の突部１８ａに向けて円板カム１８の中心へ傾斜をなす傾斜部１８ｂが等間隔に形成されている。円板カム１８は、正面視で時計回りに回転することで、これら傾斜部１８ｂが間欠的に押圧軸４ｂを上方に向けて押圧するようになっている。
【００２９】
図１及び図２に示すように、第１搬送ギア１０ａ，１０ｂよりも右側には、第２搬送ギア１１，１１が一対となって筐体２の前後幅方向に並列配置されている。これら第２搬送ギア１１，１１は、両第１搬送ギア１０ａ，１０ｂを筐体２の前後幅方向に挟む位置に配置されている。
【００３０】
第２搬送ギア１１よりも右側には、第３搬送ギア１２，１２が一対となって筐体２の前後幅方向に並列配置されている。これら第３搬送ギア１２，１２は、両第２搬送ギア１１，１１を筐体２の前後幅方向に挟む位置に配置されている。
【００３１】
これら第２搬送ギア１１及び第３搬送ギア１２は、第１搬送ギア１０ａ，１０ｂと同様に、筐体２の前後幅方向を向き筐体２に両端部がそれぞれ支持された水平軸１４，１５に固定されているとともに、周面には、第２搬送ギア１１及び第３搬送ギア１２の周方向側の幅寸法を、箸Ｃの長手方向側の端部を収容可能な程度の幅寸法の溝部１１ａ，１２ａと、突部１１ｂ，１２ｂとが形成されている。
【００３２】
水平軸１３，１４，１５は、筐体２の外部にて図示しないモータ等の駆動手段に噛合部２９を介して接続されており、この図示しないモータが駆動することによって正面視で時計周りに同期して回転するようになっている。つまり、第１搬送ギア１０ａ，１０ｂと第２搬送ギア１１と第３搬送ギア１２及び円板カム１８は、水平軸１３，１４，１５の回転によって正面視で時計周りに同期して回転する。
【００３３】
尚、図１及び図２に示すように、第２搬送ギア１１と第３搬送ギア１２の上方である筐体２内の前後幅方向の中央寄りには、第２搬送ギア１１と第３搬送ギア１２との周面に沿う形状に形成された一対の押えフレーム１９が配置されている。
【００３４】
図２及び図３に示すように、第２搬送ギア１１と第３搬送ギア１２との上方には、第１搬送ギア１０ａ，１０ｂと第２搬送ギア１１と第３搬送ギア１２とによって筐体２内の右側に向けて搬送される箸Ｃを洗浄するための円筒形状の洗浄ブラシ２１が配置されている。この洗浄ブラシ２１は、筐体２の前後幅方向を向き筐体２に両端部が支持された水平軸２２に固定されている。
【００３５】
この水平軸２２は水平軸１３，１４，１５と同様に図示しないモータ等の駆動手段に接続されており、この図示しないモータが駆動することによって水平軸２２が回転するようになっている。尚、洗浄ブラシ２１の前後幅寸法は、第３搬送ギア１２，１２間の前後幅寸法よりも若干長寸に形成されている。
【００３６】
筐体２内における洗浄ブラシ２１の左側には、第１搬送ギア１０ａ，１０ｂと第２搬送ギア１１とによって筐体２の右側に向けて搬送される箸Ｃに対して洗浄液を噴射する第２噴射ノズル２３が設けられており、洗浄ブラシ２１の右側には、洗浄ブラシ２１によって洗浄された箸Ｃを濯ぐための水を噴射する第３噴射ノズル２４が設けられている。
【００３７】
筐体２内における第３搬送ギア１２の右側には、筐体２の右方側に向けて下方へ傾斜をなすスロープ板２５が設けられている。このスロープ板２５の右側である筐体２の右外側部には、箸Ｃを回収するための箱上に形成された箸回収部２６が設けられており、第３搬送ギア１２の回転によって第３搬送ギア１２から脱落した箸Ｃは、スロープ板２５上をスライド移動した後、最終的にこの箸回収部２６に収容されるようになっている。尚、第３搬送ギア１２の右側には、第３搬送ギア１２の右部及びスロープ板２５の左端部に向けて圧縮空気等を噴射して箸Ｃを乾燥させるための第４噴射ノズル２７が設けられている。
【００３８】
尚、図２に示すように、筐体２の底部には、箸洗浄装置１の外部の図示しない排水管等に接続されたドレン管２８が接続されており、第１噴射ノズル１７及び第３噴射ノズル２４から噴射された水と、第２噴射ノズル２３から噴射された洗浄液はこのドレン管２８から箸洗浄装置１外に排出されるようになっている。
【００３９】
次に、前述のように構成した箸洗浄装置１の動作について説明する。先ず、図２と図４及び図６に示すように、飲食店の従業員等が載置板３ｄ上に複数の箸Ｃを長手方向が箸洗浄装置１の前後幅方向を向くように載置する。そして、これら箸Ｃを箸投入口３ｅに向けてスライド移動させ、箸供給部３内に上方から複数の箸Ｃを投入する。
【００４０】
この状態で、図示しないモータを駆動させることによって第１搬送ギア１０ａ，１０ｂと第２搬送ギア１１と第３搬送ギア１２と円板カム１８と洗浄ブラシ２１の回転を開始させ、円板カム１８の傾斜部１８ｂに沿って押圧軸４ｂを上方に向けて順次押圧するとともに、押圧ピン１０ｅによって揺動ブラケット８のコ字状下方端部を上方に向けて順次押圧する。
【００４１】
このとき、図５における揺動ブラケット４の右端部と、図７における揺動ブラケット８の左上部とが上方に向けて揺動され、押圧突起４ｃ，８ａ，８ｂが切欠３ｃを介してスロープ３ａの上方に突出する。これら押圧突起４ｃ，８ａ，８ｂがスロープ３ａの上方に突出することで、スロープ３ａ上に配置されている複数の箸Ｃを上方に向けて押し上げ、隣り合う箸Ｃ間で間隙を生じさせる。このため、隣り合う箸Ｃ間に生じる摩擦力を軽減し、箸Ｃを供給口３ｂから第１搬送ギア１０ａ，１０ｂに向けて供給しやすくすることができる。
【００４２】
同時に、揺動ブラケット４の左端部は、下方に向けて揺動されるので、コイルバネ７に揺動ブラケット４の左端部を上方に向けて付勢する付勢力が蓄積される。
【００４３】
この状態から円板カム１８の更なる回転によって突部１８ａによる押圧軸４ｂの押圧が終了すると、図４に示すように、コイルバネ７の付勢力が揺動ブラケット４の左端部を上方に移動させることによって、ハンマー４ａがスロープ３ａを叩き、スロープ３ａを振動させる。
【００４４】
また、第１搬送ギア１０ａ，１０ｂの溝部１０ｃは、このハンマー４ａによってスロープ３ａが振動された過程で、供給口３ｂと対向する位置に配置される。このため、箸Ｃは第１搬送ギア１０ａ，１０ｂの回転に伴い溝部１０ｃに向けて落下し、第１搬送ギア１０ａ，１０ｂの溝部１０ｃ内に長手方向側の端部が収容される。
【００４５】
この状態から更に第１搬送ギア１０ａ，１０ｂが回転することで、図５に示すように、円板カム１８が傾斜部１８ｂに沿って押圧軸４ｂを上方に向けて押圧するとともに、第１搬送ギア１０ａ，１０ｂの突部１０ｄが供給口３ｂに対向配置されるので、１つの溝部１０ｃに対する供給口３ｂから、溝部１０ｃに長手方向側の端部が収容された箸Ｃと隣り合っていた箸Ｃが連続して供給されることが防止されている。つまり、第１搬送ギア１０ａ，１０ｂの溝部１０ｃは確実に箸供給部３内で隣あっていた箸Ｃを離間させて１本ずつ搬送することができる。
【００４６】
第１搬送ギア１０ａ，１０ｂの溝部１０ｃに長手方向側の端部が収容された箸Ｃは、第１搬送ギア１０ａ，１０ｂが正面視で時計回りに同期して回転することで、第１搬送ギア１０ａ，１０ｂの右部にて第２搬送ギア１１の溝部１１ａに箸Ｃの長手方向側の端部が受け渡され、第２搬送ギア１１の正面視で時計回りの回転によって筐体２内を右側に向けて搬送される。
【００４７】
この第２搬送ギア１１の正面視で時計回りの回転による搬送によって、図２に示すように、箸Ｃは、順次箸Ｃの周方向側の向きを変更されながら第２噴射ノズル２３から洗浄液を噴射された後、回転する洗浄ブラシ２１に摺接することによって洗浄される。
【００４８】
そして、洗浄ブラシ２１による洗浄後の箸Ｃは、第２搬送ギア１１の右部にて第３搬送ギア１２の溝部１２ａに長手方向側の端部が受け渡され、第３搬送ギア１２の正面視で時計回りの回転によって筐体２内を右側に向けて搬送される。
【００４９】
第３搬送ギア１２の正面視で時計回りの回転による搬送によって、箸Ｃは、順次向きを変更されながら第３噴射ノズル２４から水を噴射された後、第４噴射ノズル２７から圧縮空気を噴射されることで、箸Ｃへの濯ぎと乾燥がなされる。
【００５０】
尚、このように、箸Ｃは第２搬送ギア１１と第３搬送ギア１２とによる搬送途上にて、第２噴射ノズル２３からの洗浄液の噴射と、洗浄ブラシ２１による洗浄と、第３噴射ノズル２４からの水の噴射と、第４噴射ノズル２７からの圧縮空気の噴射と、による圧力を受けるが、押えフレーム１９が箸Ｃの溝部１１ａ，１２ａからの浮き上りを規制するため、これら押えフレーム１９によって箸Ｃの溝部１１ａ，１２ａからの脱落が防止されている。
【００５１】
最後に、第３搬送ギア１２の正面視で時計回りの回転によって箸Ｃの長手方向側の端部が収容されている溝部１２ａが筐体２の右側下方を向くことで、箸Ｃは溝部１２ａから滑落し、スロープ板２５上をスライド移動して箸回収部２６内に収容される。
【００５２】
以上、本実施例における箸洗浄装置１にあっては、箸搬送部３に向けて開口し箸搬送部に向けて箸Ｃを１本ずつ供給する供給口３ｂと、上方より供給口３ｂに向けて複数の箸Ｃがスライド移動可能なスロープ３ａと、スロープ３ａを振動させるハンマー４ａと、を備えるので、スロープ３ａの下方の供給口３ｂに向けて殺到し供給口３ｂ手前で停滞する複数の箸Ｃを、ハンマー４ａによりスロープ３ａを振動させることで停滞を解消し、供給口３ｂから箸搬送部に向けてスムーズに箸Ｃを１本ずつ順次供給することができる。
【００５３】
また、箸搬送部は、水平軸１３，１４，１５周りに回転する第１搬送ギア１０ａ，１０ｂと第２搬送ギア１１と第３搬送ギア１２と円板カム１８とであるとともに、ハンマー４ａは、円板カム１８の回転によってスロープ３ａを振動させるので、箸Ｃを搬送する円板カム１８の回転を利用して、箸Ｃの搬送を行いながらスロープ３ａを間欠的に繰り返し振動させることができる。
【００５４】
また、第１搬送ギア１０ａ，１０ｂには、供給口３ｂから供給される箸Ｃが配置される溝部１０ｃと、供給口３ｂからの箸Ｃの供給を阻止する突部１０ｄとが、供給口３ｂと対向するように、第１搬送ギア１０ａ，１０ｂの周方向に交互に複数形成されており、第１搬送ギア１０ａ，１０ｂの回転によって供給口３ｂと突部１０ｄとが対向する状態から、供給口３ｂと溝部１０ｃとが対向する状態に変化する際に、スロープ３ａがハンマー４ａによって振動されるので、ハンマー４ａがスロープ３ａを振動させるタイミングと箸供給部３と溝部１０ｃとが対向するタイミングとを同期させてスムーズに溝部１０ｃ内に箸Ｃを配置することができるとともに、供給口３ｂと溝部１０ｃとが対向した後に再び供給口３ｂと突部１０ｄとが対向することによって、供給口３ｂから第１搬送ギア１０ａ，１０ｂへの箸Ｃの過供給を防ぐことができる。
【００５５】
また、箸供給部３には、箸Ｃの供給口３ｂへの進入数を規制する箸規制部１６が設けられているので、供給口３ｂ近傍に集中した複数本の箸Ｃの荷重によってスロープ３ａの振動が阻止されてしまうことを防止することができる。
【００５６】
以上、本発明の実施例を図面により説明してきたが、具体的な構成はこれら実施例に限られるものではなく、本発明の要旨を逸脱しない範囲における変更や追加があっても本発明に含まれる。
【００５７】
例えば、前記実施例では、箸洗浄部２０に洗浄液を噴射する第２噴射ノズル２３と、回転して箸Ｃを洗浄する洗浄ブラシ２１と、水を噴射して箸Ｃを漱ぐ第３噴射ノズル２４と、を設けたが、箸Ｃを十分に洗浄可能であれば、噴射ノズルから高圧で水を噴射させ、この水圧で箸Ｃを洗浄するようにしてもよい。
【００５８】
また、前記実施例では、第１搬送ギア１０ａ，１０ｂと第２搬送ギア１１，１１と第３搬送ギア１２，１２とを同期させて回転させることにより、箸Ｃを箸洗浄部２０にて回転する洗浄ブラシ２１で洗浄しつつ箸回収部２６に向けて搬送したが、第１搬送ギア１０ａ，１０ｂ、第２搬送ギア１１，１１及び第３搬送ギア１２，１２の回転速度を遅くさせ、箸Ｃを箸洗浄部２０にて長時間洗浄するようにしてもよい。
【００５９】
また、前記実施例では、第１搬送ギア１０ａ，１０ｂと第２搬送ギア１１，１１と第３搬送ギア１２，１２とを同期させて回転させることにより、箸Ｃを箸洗浄部２０にて回転する洗浄ブラシ２１で洗浄しつつ箸回収部２６に向けて搬送したが、第１搬送ギア１０ａ，１０ｂ、第２搬送ギア１１，１１及び第３搬送ギア１２，１２の回転速度に対して洗浄ブラシ２１の回転速度を高速にすることで、箸Ｃをより確実に洗浄できるようにしてもよい。
【符号の説明】
【００６０】
１                箸洗浄装置
３                箸供給部
３ａ              スロープ
３ｂ              供給口
４                揺動ブラケット（揺動手段）
４ａ              ハンマー
１０ａ，１０ｂ    第１搬送ギア（回転体，箸搬送部）
１０ｃ            溝部
１０ｄ            突部
１１              第２搬送ギア（回転体，箸搬送部）
１１ａ            溝部
１１ｂ            突部
１２              第３搬送ギア（回転体，箸搬送部）
１２ａ            溝部
１２ｂ            突部
１６              箸規制部
１６ａ            箸規制板
１６ｂ            側板
１８              円板カム（回転体）
２０              箸洗浄部
Ｃ                箸
【図１】
2011160874.tif 000003
【図２】
2011160874.tif 000004
【図３】
2011160874.tif 000005
【図４】
2011160874.tif 000006
【図５】
2011160874.tif 000007
【図６】
2011160874.tif 000008
【図７】
2011160874.tif 000009